(57)【要約】【課題】高温になる加熱部の入力が不意（誤操作・いたずら等）に入ることなく、安全性の極めて高い加熱調理器を提供すること。【解決手段】ラジエントヒータ部２４には、それに対応した切／入ボタン２７と火力増減ボタン２８をトッププレート上に有し、その近傍に切／入ボタン２７の入力操作を有効にする入力開始操作禁止解除ボタン２９と解除されたことを明確にする解除ランプＬＥＤ３０を配置する構成。【選択図】　図１
2004111089.tif 000002
【特許請求の範囲】
【請求項１】
外郭を構成する本体と、前記本体の上面に設けたトッププレートと、前記トッププレート上に設けた調理容器を載置して加熱する複数の加熱部と、前記加熱部の少なくとも１つは電気抵抗式発熱加熱手段で、他は誘導加熱式加熱手段であり、それぞれの加熱部に対応して設けた加熱調理を行うための条件を入力する手段を有する操作部を前記トッププレートの上面に備え、前記電気抵抗式発熱加熱手段の加熱開始入力手段は、入力開始操作禁止解除手段を操作することにより有効となる加熱調理器。
【請求項２】
外郭を構成する本体と、前記本体の上面に設けたトッププレートと、前記トッププレート上に設けた調理容器を載置して加熱する複数の加熱部と、前記加熱部の少なくとも１つは電気抵抗式発熱加熱手段で、他は誘導加熱式加熱手段であり、それぞれの加熱部に対応して設けた加熱調理を行うための条件を入力する手段を有する操作部を前記トッププレートの上面に有し、電源が供給されてからもしくは調理が終了してから時間をカウントする計時手段とを備え、電源供給後もしくは調理終了後に一定時間入力操作が行われないときは、誘導加熱式加熱手段と電気抵抗式発熱加熱手段の操作部の入力操作をそれぞれ異なった時間で受け付けない構成とした加熱調理器。
【請求項３】
外郭を構成する本体と、前記本体の上面に設けたトッププレートと、前記トッププレート上に設けた調理容器を載置して加熱する複数の加熱部と、前記加熱部の少なくとも１つは電気抵抗式発熱加熱手段で、他は誘導加熱式加熱手段であり、それぞれの加熱部に対応して設けた加熱調理を行うための条件を入力する手段を有する操作部を前記トッププレートの上面に備え、前記電気抵抗式発熱加熱手段の加熱開始入力手段は他の入力手段より受付時間を長くした加熱調理器。
【請求項４】
外郭を構成する本体と、前記本体の上面に設けたトッププレートと、前記トッププレート上に設けた調理容器を載置して加熱する複数の加熱部と、前記加熱部の少なくとも１つは電気抵抗式発熱加熱手段で、他は誘導加熱式加熱手段であり、それぞれの加熱部に対応して設けた加熱調理を行うための条件を入力する手段を有する操作部を前記トッププレートの上面に備え、前記電気抵抗式発熱加熱手段の操作部には、加熱開始入力手段以外の入力部を設ける構成とした加熱調理器。
【請求項５】
外郭を構成する本体と、前記本体の上面に設けたトッププレートと、前記トッププレート上に設けた調理容器を載置して加熱する複数の加熱部と、前記加熱部の少なくとも１つは電気抵抗式発熱加熱手段で、他は誘導加熱式加熱手段であり、それぞれの加熱部に対応して設けた加熱調理を行うための条件を入力する手段を有する操作部を前記トッププレートの上面に備え、前記電気抵抗式発熱加熱手段の操作部は、他の操作部よりもトッププレート上面後方に配列した加熱調理器。
【請求項６】
外郭を構成する本体と、前記本体の上面に設けたトッププレートと、前記トッププレート上に設けた調理容器を載置して加熱する複数の加熱部と、前記加熱部の少なくとも１つは電気抵抗式発熱加熱手段で、他は誘導加熱式加熱手段であり、それぞれの加熱部に対応して設けた加熱調理を行うための条件を入力する手段を有する操作部を前記トッププレートの上面に備え、前記電気抵抗式発熱加熱手段の操作部は、各入力手段を前方から後方に向けて配列した加熱調理器。
【請求項７】
加熱開始入力手段は、最後方に配列された請求項６記載の加熱調理器。
【発明の詳細な説明】
【０００１】
【発明の属する技術分野】
本発明は電気抵抗発熱式ヒータを有する加熱調理器に関し、特に発熱ヒータへの不測の入力に対して、安全性を向上させたものである。
【０００２】
【従来の技術】
従来、この種の加熱調理器は図８に示すようなものがあった。図８は日本の一般的家庭の台所で用いられている加熱部を３個有する、いわゆる３口の加熱調理器である。図９には、その操作部の詳細を示している。
【０００３】
加熱調理器の外郭を構成する本体１の上面は耐熱性ガラス製のトッププレート２がトップフレーム３により外周部を覆われ配設されている。本体１内のトッププレート２の下面には誘導加熱を行う誘導加熱コイル４，電気抵抗により発熱するニクロム線等を有するラジエントヒータ５が配置され、トッププレート２の表面上にはそれぞれの加熱手段が配設されている位置に対応して加熱サークル６が印刷されている。７は、魚等を焼くためのロースター部で、内部に電気抵抗により発熱するロースターヒータを有している。本体１の前方にはダイアル型、押しボタン型などの固定式あるいは図に示すような開閉収納式の操作部８と、操作に応じて各種状態を表示する表示部９が設けられている。
【０００４】
操作部８内には、各加熱手段の操作がスムーズに行えるよう誘導加熱コイル入力切／入ボタン１０、ラジエントヒータ入力切／入ボタン１１、ロースターヒータ入力切／入ボタン１２やそれぞれの火力増減ボタン１３等が配置されている。
【０００５】
また、操作の利便性を良くしたものとして、図１０に示すようなものがあった。図に示すようにこの調理器では、トッププレート１４の前方に静電容量方式による誘導加熱ヒータ部の操作部１５を配置している（例えば、特許文献１参照）。
【０００６】
【特許文献１】
特開２００１−１９６１５３号公報
【０００７】
【発明が解決しようとする課題】
しかしながらこのような従来の構成では、前方側面部に設けられた操作部８と調理を行うトッププレート２が離れた位置関係にあるため、調理者は調理中の操作において調理容器から離れた操作部８に目線を移し、切／入ボタン１０等の操作を行う必要があった。また、操作部８は低い位置にあるため姿勢を変えて操作しなければならないなど操作性に問題があった。
【０００８】
また、トッププレート１４の前方に静電容量方式による誘導加熱ヒータ部の操作部１５を設ける従来の構成では、誘導加熱部に比べて極めて高温になるラジエントヒータ（電気抵抗による発熱ヒータ）の操作部がトッププレート１４上にないため、使用者が意識しない不意の動作による加熱開始の危険性が低くなる反面、ラジエントヒータ５使用時には前方側面部に設けた操作部の切／入ボタン等を操作しなければならず、使い勝手の大変悪いものであった。
【０００９】
本発明は前記従来の課題を解決するもので、操作性が良く、かつ安全性および信頼性の高い加熱調理器を提供することを目的とする。
【００１０】
【課題を解決するための手段】
前記従来の課題を解決するために、本発明の加熱調理器は、外郭を構成する本体と、前記本体の上面に設けたトッププレートと、前記トッププレート上に設けた調理容器を載置して加熱する複数の加熱部と、前記加熱部の少なくとも１つは電気抵抗式発熱加熱手段で、他は誘導加熱式加熱手段であり、それぞれの加熱部に対応して設けた加熱調理を行うための条件を入力する手段を有する操作部を前記トッププレートの上面に備え、前記電気抵抗式発熱加熱手段の加熱開始入力手段は、入力開始操作禁止解除手段を操作することにより有効となる構成とした。
【００１１】
そしてこの構成により、電気抵抗式発熱加熱手段の操作部は、誘導加熱部と同様にトッププレートの上面に設けられているため、調理者は電気抵抗式発熱加熱手段で調理する際にも離れた操作部に目線を移す必要もなく、調理物を見ながら火力調節等を行うことができ、使い勝手・操作性の著しい向上が図れるとともに、電気抵抗発熱加熱手段を使用する際には入力開始操作禁止解除手段を操作しなければならないので、意識的に操作することができ、不意の加熱開始に対する安全性も保てるものである。
【００１２】
もちろん、ロースター等他の熱源の操作部を、トッププレート上に配置した場合についても同様の構成をとることにより、安全性の向上を図ることができる。
【００１３】
【発明の実施の形態】
請求項１に記載の発明は、外郭を構成する本体と、前記本体の上面に設けたトッププレートと、前記トッププレート上に設けた調理容器を載置して加熱する複数の加熱部と、前記加熱部の少なくとも１つは電気抵抗式発熱加熱手段で、他は誘導加熱式加熱手段であり、それぞれの加熱部に対応して設けた加熱調理を行うための条件を入力する手段を有する操作部を前記トッププレートの上面に備え、前記電気抵抗式発熱加熱手段の加熱開始入力手段は、入力開始操作禁止解除手段を操作することにより有効となるように構成した。
【００１４】
そしてこの構成により、電気抵抗式発熱加熱手段の操作部は、誘導加熱部と同様にトッププレートの上面に設けられているため、調理者は電気抵抗式発熱加熱手段で調理する際にも離れた操作部に目線を移す必要もなく、調理物を見ながら火力調節等を行うことができ、使い勝手・操作性の著しい向上が図れるとともに、電気抵抗発熱加熱手段を使用する際には入力開始操作禁止解除手段を操作しなければならないので、意識的に操作することができ、不意の加熱開始に対する安全性も保てるものである。
【００１５】
請求項２に記載の発明は、外郭を構成する本体と、前記本体の上面に設けたトッププレートと、前記トッププレート上に設けた調理容器を載置して加熱する複数の加熱部と、前記加熱部の少なくとも１つは電気抵抗式発熱加熱手段で、他は誘導加熱式加熱手段であり、それぞれの加熱部に対応して設けた加熱調理を行うための条件を入力する手段を有する操作部を前記トッププレートの上面に有し、電源が供給されてからもしくは調理が終了してから時間をカウントする計時手段とを備え、電源供給後もしくは調理終了後に一定時間入力操作が行われないときは、誘導加熱式加熱手段と電気抵抗式発熱加熱手段の操作部の入力操作をそれぞれ異なった時間で受け付けない構成とした。
【００１６】
この構成により、電源スイッチ等により電源が供給されても、一定時間経過後は入力受付不可となるため、小動物や幼い子供が調理者の不在時に誤って入力手段に触れても加熱が開始されることはなく、安全性が著しく向上するとともに、特に、電気抵抗式発熱加熱手段の入力受付不可までの時間を、誘導加熱式加熱手段の入力受付不可までの時間より短縮することにより、誤って加熱開始してしまう可能性がさらに減少し、さらなる安全性の向上が図れるものである。調理終了後も同様である。
【００１７】
なお、入力受付不可までの時間は、任意に決定される値であるが、誘導加熱式加熱手段で１分程度、電気抵抗式発熱加熱手段で１５秒〜３０秒程度が使い勝手がよい。
【００１８】
請求項３に記載の発明は、外郭を構成する本体と、前記本体の上面に設けたトッププレートと、前記トッププレート上に設けた調理容器を載置して加熱する複数の加熱部と、前記加熱部の少なくとも１つは電気抵抗式発熱加熱手段で、他は誘導加熱式加熱手段であり、それぞれの加熱部に対応して設けた加熱調理を行うための条件を入力する手段を有する操作部を前記トッププレートの上面に備え、前記電気抵抗式発熱加熱手段の加熱開始入力手段は他の入力手段より受付時間を長くした構成とした。
【００１９】
この構成により、電源スイッチ等により電源が供給されても、電気抵抗式発熱加熱手段の加熱開始入力手段の受付時間を長く設定しているため、小動物や幼い子供が調理者の不在時に誤って入力手段に触れても容易に加熱が開始されることはなく、また、調理者自らも意識して長く押さないと加熱開始しないので、安全性が著しく向上するものである。
【００２０】
なお、入力受付までの時間は、任意に決定される値であるが、誘導加熱式加熱手段で０．５秒程度、電気抵抗式発熱加熱手段で１秒程度が使い勝手がよい。
【００２１】
請求項４に記載の発明は、外郭を構成する本体と、前記本体の上面に設けたトッププレートと、前記トッププレート上に設けた調理容器を載置して加熱する複数の加熱部と、前記加熱部の少なくとも１つは電気抵抗式発熱加熱手段で、他は誘導加熱式加熱手段であり、それぞれの加熱部に対応して設けた加熱調理を行うための条件を入力する手段を有する操作部を前記トッププレートの上面に備え、前記電気抵抗式発熱加熱手段の操作部には、加熱開始入力手段以外の入力部を設ける構成とした。
【００２２】
この構成により、電源スイッチ等により電源が供給されても、電気抵抗式発熱加熱手段の加熱開始入力手段はトッププレート上に存在しないため、小動物や幼い子供が調理者の不在時に誤ってトッププレート部に触れても加熱が開始されることはなく、また、調理者自らも押し間違い等で電気抵抗式発熱加熱手段を加熱してしまうこともなくなり、安全性が著しく向上するものである。
【００２３】
請求項５に記載の発明は、外郭を構成する本体と、前記本体の上面に設けたトッププレートと、前記トッププレート上に設けた調理容器を載置して加熱する複数の加熱部と、前記加熱部の少なくとも１つは電気抵抗式発熱加熱手段で、他は誘導加熱式加熱手段であり、それぞれの加熱部に対応して設けた加熱調理を行うための条件を入力する手段を有する操作部を前記トッププレートの上面に備え、前記電気抵抗式発熱加熱手段の操作部は、他の操作部よりもトッププレート上面後方に配列した構成とした。
【００２４】
この構成により、電気抵抗式発熱加熱手段の操作部は、相対的にキッチンの前面から遠ざかるものとなり、小動物や幼い子供が誤って入力手段に触れてしまう可能性が減少し、安全性の向上が図れるものである。
【００２５】
請求項６に記載の発明は、外郭を構成する本体と、前記本体の上面に設けたトッププレートと、前記トッププレート上に設けた調理容器を載置して加熱する複数の加熱部と、前記加熱部の少なくとも１つは電気抵抗式発熱加熱手段で、他は誘導加熱式加熱手段であり、それぞれの加熱部に対応して設けた加熱調理を行うための条件を入力する手段を有する操作部を前記トッププレートの上面に備え、前記電気抵抗式発熱加熱手段の操作部は、各入力手段を前方から後方に向けて配列した構成とした。
【００２６】
この構成により、電気抵抗式発熱加熱手段の操作部の入力手段は、相対的にキッチンの前面から遠ざかるものとなり、小動物や幼い子供が誤って入力手段に触れてしまう可能性が減少し、安全性の向上が図れるものである。
【００２７】
請求項７に記載の発明は、外郭を構成する本体と、前記本体の上面に設けたトッププレートと、前記トッププレート上に設けた調理容器を載置して加熱する複数の加熱部と、前記加熱部の少なくとも１つは電気抵抗式発熱加熱手段で、他は誘導加熱式加熱手段であり、それぞれの加熱部に対応して設けた加熱調理を行うための条件を入力する手段を有する操作部を前記トッププレートの上面に備え、前記電気抵抗式発熱加熱手段の操作部は、各入力手段を前方から後方に向けて配列し、加熱開始入力手段を最後方に配列した構成とした。
【００２８】
この構成により、電気抵抗式発熱加熱手段の操作部の入力手段は、相対的にさらにキッチンの前面から遠ざかるものとなり、小動物や幼い子供が誤って入力手段に触れてしまう可能性が減少し、さらに安全性の向上が図れるものである。
【００２９】
【実施例】
以下、本発明の実施例について、図面を参照しながら説明する。
【００３０】
（実施例１）
図１は、本発明の第１の実施例における加熱調理器のトッププレート上面の操作部の拡大図である。
【００３１】
なお、全体構成は、従来例における図８と同様であるので説明を省略する。
【００３２】
図１において、２１はトッププレートでトップフレーム２２により外周を覆われている。２３は誘導加熱ヒータ部でトッププレート２１の下方に加熱コイルを有している。２４は電気抵抗により発熱するラジエントヒータ部である。誘導加熱ヒータ部２３の前方には、静電容量方式（動作原理は公知の技術として説明を省略）の切／入ボタン２５と火力増減ボタン２６を有している。ラジエントヒータ部２４には、それに対応した切／入ボタン２７と火力増減ボタン２８を有し、その近傍に切／入ボタン２７の入力操作を有効にする入力開始操作禁止解除ボタン２９と解除されたことを明確にする解除ランプＬＥＤ３０を配置している。
【００３３】
以上のように構成された操作部構成について、以下その動作、作用を説明する。
【００３４】
誘導加熱ヒータ部２３を使用する際には、まず電源スイッチ（図示せず）によって各操作部を待機状態とし、誘導加熱ヒータ切／入ボタン２５に接触することによって静電容量方式の動作原理に基づき加熱を開始する。必要に応じ、誘導加熱ヒータ火力増減ボタン２６により火力調節を行う。ラジエントヒータ部２４を使用する際には、同様に電源スイッチによって待機状態とし、さらに入力開始操作禁止解除ボタン２９を触って入力可能とし（解除ランプＬＥＤ３０点灯）、ラジエントヒータ切／入ボタン２７に接触することによって静電容量方式の動作原理に基づき加熱を開始する。必要に応じ、ラジエントヒータヒータ火力増減ボタン２６により火力調節を行う。そしてこの構成により、ラジエントヒータ部２４の操作部は、誘導加熱ヒータ部２３と同様にトッププレート２１の上面に設けられているため、調理者はラジエントヒータ部２４で調理する際にも離れた操作部に目線を移す必要もなく、調理物を見ながら火力調節等を行うことができ、使い勝手・操作性の著しい向上が図れるとともに、ラジエントヒータ部２４を使用する際には入力開始操作禁止解除ボタン２９を操作しなければならないので、意識的に操作することができ、不意の加熱開始に対する安全性も保てるものである。
【００３５】
（実施例２）
本発明の第２の実施例について説明する。
【００３６】
図２において、誘導加熱ヒータ部３１の前方には、静電容量方式の切／入ボタン３２と火力増減ボタン３３を有し、ラジエントヒータ部３４には、それに対応した切／入ボタン３５と火力増減ボタン３６を有している。その近傍には、電源供給後もしくは調理終了後に一定時間入力操作が行われないときは、操作可能であることを知らせる操作可能ランプ３７を消灯させ、入力操作不能とする。このとき、ラジエントヒータ部３４の操作可能時間を誘導加熱ヒータ部３１よりも短くすることにより（誘導加熱ヒータ部：１分、ラジエントヒータ部：３０秒）、ラジエントヒータ部３１の操作部に小動物や幼い子供が誤って触れても加熱開始してしまう可能性がさらに減少し、安全性の向上が図れるものである。
【００３７】
（実施例３）
本発明の第３の実施例について説明する。
【００３８】
図３において、誘導加熱ヒータ部４１の前方には、静電容量方式の切／入ボタン４２と火力増減ボタン４３を有し、ラジエントヒータ部４４には、それに対応した切／入ボタン４５と火力増減ボタン４６を有している。このとき、ラジエントヒータ部４４の操作部の切／入ボタン４５の入力受付時間を誘導加熱ヒータ部４１よりも長くすることにより（誘導加熱ヒータ部：０．５秒、ラジエントヒータ部：１秒）、ラジエントヒータ部４１の操作部に小動物や幼い子供が誤って触れても容易に加熱開始してしまう可能性がさらに減少し、安全性の向上が図れるものである。
【００３９】
（実施例４）
本発明の第４の実施例について説明する。
【００４０】
図４において、誘導加熱ヒータ部５１の前方には、静電容量方式の切／入ボタン５２と火力増減ボタン５３を有し、ラジエントヒータ部５４には、それに対応した切ボタン５５と火力増減ボタン５６を有している。
【００４１】
この構成により、電源スイッチ等により電源が供給されても、ラジエントヒータ部５４の加熱開始の入ボタンはトッププレート上に存在しないため（前面側面部の操作部に配置）、小動物や幼い子供が調理者の不在時に誤ってトッププレート部に触れても加熱が開始されることはなく、また、調理者自らも押し間違い等で電気抵抗式発熱加熱手段を加熱してしまうこともなくなり、安全性が著しく向上するものである。
【００４２】
（実施例５）
本発明の第５の実施例について説明する。
【００４３】
図５において、誘導加熱ヒータ部６１の前方には、静電容量方式の切／入ボタン６２と火力増減ボタン６３を有し、ラジエントヒータ部６４には、それに対応した切／入ボタン６５と火力増減ボタン６６を有している。このとき、ラジエントヒータ部６４の操作部は、任意の距離Ａだけ、後方に配列している。
【００４４】
この構成により、ラジエントヒータ部６４の操作部は、相対的にキッチンの前面から遠ざかるものとなり、小動物や幼い子供が誤って入力手段に触れてしまう可能性が減少し、安全性の向上が図れるものである。
【００４５】
（実施例６）
本発明の第６の実施例について説明する。
【００４６】
図６において、誘導加熱ヒータ部７１の前方には、静電容量方式の切／入ボタン７２と火力増減ボタン７３を有し、ラジエントヒータ部７４には、それに対応した切／入ボタン７５と火力増減ボタン７６を前方から後方に向けて配列している。
【００４７】
この構成により、ラジエントヒータ部７４の操作部は、相対的にキッチンの前面から遠ざかるものとなり、小動物や幼い子供が誤って入力手段に触れてしまう可能性が減少し、安全性の向上が図れるものである。図７では、切／入ボタン８１を最後方に配列したものである。
【００４８】
この構成により、ラジエントヒータ部８２の切／入ボタン８１は、相対的にキッチンの前面から遠ざかるものとなり、小動物や幼い子供が誤って入力手段に触れてしまう可能性がさらに減少し、さらに安全性の向上が図れるものである。
【００４９】
【発明の効果】
以上のように、請求項１ないし７に記載の発明によれば、高温になる加熱部の入力が不意に入ることなく、安全性の極めて高い加熱調理器を提供することができる。
【図面の簡単な説明】
【図１】本発明の第１の実施例における加熱調理器の操作部の平面図
【図２】本発明の第２の実施例における加熱調理器の操作部の平面図
【図３】本発明の第３の実施例における加熱調理器の操作部の平面図
【図４】本発明の第４の実施例における加熱調理器の操作部の平面図
【図５】本発明の第５の実施例における加熱調理器の操作部の平面図
【図６】本発明の第６の実施例における加熱調理器の操作部の平面図
【図７】本発明の第７の実施例における加熱調理器の操作部の平面図
【図８】従来の加熱調理器の分解斜視図
【図９】従来の加熱調理器の操作部の平面図
【図１０】従来の加熱調理器の操作部の平面図
【符号の説明】
２７　ラジエントヒータ切／入ボタン
２８　ラジエントヒータ火力増減ボタン
２９　入力開始操作禁止解除ボタン
３０　解除ランプＬＥＤ
５５　ラジエントヒータ切ボタン
【図１】
2004111089.tif 000003
【図２】
2004111089.tif 000004
【図３】
2004111089.tif 000005
【図４】
2004111089.tif 000006
【図５】
2004111089.tif 000007
【図６】
2004111089.tif 000008
【図７】
2004111089.tif 000009
【図８】
2004111089.tif 000010
【図９】
2004111089.tif 000011
【図１０】
2004111089.tif 000012